(57)【要約】【課題】  初期引き込み時間を短縮し、且つ定常時において高い推定精度を維持できる自動周波数制御装置を提供する。【解決手段】  受信フレーム同期情報に基づく受信同期の状態により特定した周波数偏差の変動状況に応じて、異なる遅延検波シンボル数で検波を行う複数の周波数偏差検出回路３ａ１，３ａ２，・・・，３ａｎの組み合わせを変更する。【選択図】        図１
2006246366.tif 000002
【特許請求の範囲】
【請求項１】
異なる検波シンボル数で受信信号を位相検波し、この検波結果に応じて前記受信信号の周波数偏差をそれぞれ推定する複数の周波数偏差検出部と、
前記周波数偏差の変動に依存する情報を検出するモニタ部と、
前記モニタ部による検出情報から特定された周波数偏差の変動状況に応じて、前記受信信号の位相検波を行う周波数偏差検出部の組み合わせを変更する回路構成制御部とを備えた自動周波数制御装置。
【請求項２】
モニタ部は、受信信号のフレーム同期状況を検出することを特徴とする請求項１記載の自動周波数制御装置。
【請求項３】
モニタ部は、受信信号の搬送波電力対雑音電力比を検出することを特徴とする請求項１記載の自動周波数制御装置。
【請求項４】
モニタ部は、電源投入及び／又は受信モードの変更を検出することを特徴とする請求項１記載の自動周波数制御装置。
【請求項５】
モニタ部は、周波数偏差検出部による推定結果から選択された周波数偏差推定値の変動の大きさを検出することを特徴とする請求項１記載の自動周波数制御装置。
【発明の詳細な説明】
【技術分野】
【０００１】
この発明は、例えば受信装置内の発振器周波数と受信信号の搬送波周波数との周波数偏差を推定して、局部発振器の不安定性などにより引き起こされる受信装置と送信装置との間の周波数誤差を補正する自動周波数制御装置に関するものである。
【背景技術】
【０００２】
従来の自動周波数制御装置としては、例えば特許文献１に開示されるものがある。これは、受信信号の入力端子、周波数偏差の出力端子、周波数偏差検出回路及び周波数偏差選択回路を主な構成要素として備えている。簡単に動作を説明すると、先ず、周波数偏差検出回路が、入力端子を介して入力された受信信号に対して遅延検波を施すことで１シンボル間の位相変化である周波数偏差を検出する。
【０００３】
周波数偏差検出回路には、遅延検波のシンボル数の異なる複数の検出回路が設けられている。例えば、遅延検波シンボル数が小さい検出回路では、周波数偏差の検出範囲は広いが、推定精度は低くなる。一方、遅延検波シンボル数が大きい検出回路は、周波数偏差の検出範囲が狭い分、推定精度は高くなる特徴がある。周波数偏差選択回路は、複数の周波数偏差検出回路より出力される推定値の候補のうち、実際の周波数偏差に最も近いと予想されるものを最終的な周波数偏差の推定値として選択し出力端子から出力する。
【０００４】
【特許文献１】特開平９−２４６９１７号公報
【発明の開示】
【発明が解決しようとする課題】
【０００５】
特許文献１に代表される従来の自動周波数制御装置では、周波数偏差について広い検出範囲を維持しつつ、高い推定精度を同時に実現することが可能である。遅延検波シンボル数として、ａ１＝１、ａ２＝２、ａｎ＝４を選んだ場合における、従来の自動周波数制御装置による遅延検波結果の比較関係を示す複素平面図を図６に示し、この図６を用いて周波数偏差候補の選択方法を簡単に説明する。ここで、３つの周波数偏差検出回路に対する周波数偏差推定値の候補として周波数不確定性により各々遅延検波シンボル数に相当する１個（Ａ１１）、２個（Ａ２１、Ａ２２）、及び４個（Ａ３１、Ａ３２、Ａ３３、Ａ３４）の候補が存在するものとする。
【０００６】
周波数偏差選択回路は、先ず２つの候補（Ａ２１、Ａ２２）の中からＡ１１に最も近いＡ２１を選択する。次に４つの候補（Ａ３１、Ａ３２、Ａ３３、Ａ３４）の中からＡ２１に最も近いＡ３１を選択する。その結果、周波数偏差推定値としてＡ３１が選ばれる。このように、従来の自動周波数制御装置では、シンボル数が１でより広い検出範囲となる遅延検波シンボル数ａ１で検出範囲を決定し、シンボル数が４でより高い推定精度となる遅延検波シンボル数ａｎで推定精度が決定される。これにより、従来の自動周波数制御装置では、広い検出範囲と高い推定精度とを同時に実現することができた。
【０００７】
しかしながら、一般的に、受信装置の電源投入直後で局部発振器が非常に不安定な状態である場合（初期引き込み時）や、伝送路状態の悪化により搬送波電力対雑音電力比（以下、Ｃ／Ｎ比と略す）が急激に劣化した場合、周波数偏差の変動は非常に大きくなる。これに対して、従来の自動周波数制御装置では、高い推定精度を求めるためにより多くのデータを使用して遅延検波を行い周波数偏差を求める。このため、周波数偏差の推定に時間がかかり、その変動に追従できないことがあるという課題があった。
【０００８】
この発明は、上記のような課題を解決するためになされたもので、電源投入直後の初期引き込み時には推定精度を犠牲にして周波数偏差変動への追従特性の向上に注力し、周波数引き込みが安定したと判断した段階で推定精度を高めることで、初期引き込み時間を短縮し、且つ定常時において高い推定精度を維持できる自動周波数制御装置を得ることを目的とする。
【課題を解決するための手段】
【０００９】
この発明に係る自動周波数制御装置は、異なる検波シンボル数で受信信号を位相検波し、この検波結果に応じて受信信号の周波数偏差をそれぞれ推定する複数の周波数偏差検出部と、周波数偏差の変動に依存する情報を検出するモニタ部と、モニタ部による検出情報から特定された周波数偏差の変動状況に応じて、受信信号の位相検波を行う周波数偏差検出部の組み合わせを変更する回路構成制御部とを備えるものである。
【発明の効果】
【００１０】
この発明によれば、異なる検波シンボル数で受信信号を位相検波し、この検波結果に応じて受信信号の周波数偏差をそれぞれ推定する複数の周波数偏差検出部と、周波数偏差の変動に依存する情報を検出するモニタ部と、モニタ部による検出情報から特定された周波数偏差の変動状況に応じて、受信信号の位相検波を行う周波数偏差検出部の組み合わせを変更する回路構成制御部とを備えるので、初期引き込み時間を短縮することができ、且つ定常時において高い推定精度を維持することができるという効果がある。
【発明を実施するための最良の形態】
【００１１】
実施の形態１．
図１は、この発明の実施の形態１による自動周波数制御装置の一構成例を示すブロック図である。本実施の形態１の自動周波数制御装置は、受信信号の入力端子１、周波数偏差の出力端子２、周波数偏差検出回路３ａ１，ａ２，・・・，３ａｎ、周波数偏差選択回路４、回路構成制御回路５及び受信フレーム同期管理回路６を備えている。周波数偏差検出回路（周波数偏差検出部）３ａ１，ａ２，・・・，３ａｎは、入力端子１を介して入力された受信信号において現シンボルと過去シンボルとの相関を取り、現シンボルと過去シンボルとの間での位相変化を推定することで周波数偏差を得る。また、周波数偏差検出回路３ａ１，ａ２，・・・，３ａｎでは、遅延検波シンボル数ａ１，ａ２，・・・，ａｎでそれぞれ遅延検波を実行する。
【００１２】
周波数偏差選択回路４は、複数用意しておいた周波数偏差検出回路３ａ１，ａ２，・・・，３ａｎにより推定された周波数偏差情報から周波数不確定性を取り除き、出力端子２を介して周波数偏差の推定値を出力する。回路構成制御回路（回路構成制御部）５では、受信フレーム同期管理回路６から入力される受信同期情報に基づき、周波数偏差検出回路３ａ１，ａ２，・・・，３ａｎの構成を変更する。受信フレーム同期管理回路（モニタ部）６は、受信信号内に挿入された既知パターンを観測し、既知パターンが受信信号内の決まった位置で数フレーム連続して検出できた場合、受信同期が確立したと判定する。
【００１３】
次に動作について説明する。
入力端子１を介して入力された受信信号は、周波数偏差検出回路３ａ１，ａ２，・・・，３ａｎによって、異なる遅延検波シンボル数ａ１，ａ２，・・・，ａｎによる遅延検波が施され、周波数偏差の推定値候補が検出される。続いて、周波数偏差選択回路４は、周波数偏差検出回路３ａ１，ａ２，・・・，３ａｎにより検出された周波数偏差の推定値候補をそれぞれ入力して周波数不確定性を除去し、出力端子２を介して周波数偏差推定値の最終結果を出力する。
【００１４】
上述した基本的な処理にあたり、周波数偏差検出回路の数を増やして、より大きな遅延検波シンボル数を有する自動周波数制御装置を構成すれば、広い検出範囲を維持しつつ、より高い推定精度も確保できる。しかしながら、あまり遅延検波シンボル数を増やし過ぎると、周波数偏差の推定に時間がかかるため、初期引き込み時など周波数偏差の変動が大きい場合、その変動への追従特性が劣化する。
【００１５】
回路構成制御回路５は、受信フレーム同期管理回路６からの受信同期情報を常にモニタする。受信フレーム同期管理回路６は、入力端子１を介して受信信号を入力し、この受信信号内に既知パターンがあるか否かを観測する。このとき、既知パターンが受信信号内の決まった位置で数フレーム連続して検出されると、受信同期が確立したと判定し、その旨を示す受信同期情報を回路構成制御回路５に出力する。反対に、既知パターンが受信信号内の決まった位置で数フレーム連続して検出されない場合、受信同期外れの状態であるとして、その旨を示す受信同期情報を回路構成制御回路５に出力する。
【００１６】
この受信同期情報により受信同期が確立していると判断される場合、高い推定精度で周波数偏差が推定されているであると考えられ、一方、同期外れが発生している場合、その時点での周波数偏差の推定精度が低くなっていると考えられる。
【００１７】
そこで、回路構成制御回路５では、受信フレーム同期管理回路６からの受信同期情報より受信同期が確立しているとき、周波数引き込みが定常状態になっていると判断して、周波数偏差検出回路の数を増やし、周波数偏差検出回路の最大遅延検波シンボル数を増やす。また、受信同期外れが発生した場合であれば、周波数引き込みが不安定（初期引き込み状態）になっていると判断して、周波数偏差検出回路の数を減らし、最大遅延検波シンボル数を減らす。
【００１８】
図２は、上述したような回路構成制御回路による構成制御処理を説明するための図である。図２（ａ）は受信同期外れが発生しているときの装置構成を示し、図２（ｂ）に受信同期が確立したときの装置構成を示している。周波数偏差検出回路３ｂ〜３ｄは、それぞれ遅延検波シンボル数が１，２，４である回路であり、周波数偏差検出回路３ｅは、遅延検波シンボル数が８の回路を示している。これら周波数偏差検出回路３ｂ〜３ｅは、図１中の周波数制御装置に複数備えられた周波数偏差検出回路のいずれかであり、回路構成制御回路５により適当な組み合わせが選択される。
【００１９】
先ず、当初の構成として図２（ａ）に示す構成であった場合において、回路構成制御回路５は、受信フレーム同期管理回路６からの受信同期情報に基づいて受信同期が確立していると判断される場合、周波数引き込みが定常状態になっているものとして、周波数偏差検出回路の数を増やす処理に移行する。図２の例では、図２（ａ）に示す周波数偏差検出回路３ｂ〜３ｄを有する当初の構成から、図２（ｂ）に示す遅延検波シンボル数が８の周波数偏差検出回路３ｅを偏差検波の組み合わせに追加する。これにより、周波数偏差検出回路の最大遅延検波シンボル数を増加させる。
【００２０】
この後、受信フレーム同期管理回路６からの受信同期情報に基づいて受信同期外れが発生していると判断されると、回路構成制御回路５は、周波数引き込みが不安定（初期引き込み状態）であるとして、周波数偏差検出回路の数を減らす処理に移行する。図２の例では、図２（ｂ）に示す構成から最大遅延検波シンボル数の周波数偏差検出回路３ｅを外した図２（ａ）に示すような構成に変更する。これにより、周波数引き込みが不安定な期間で周波数偏差の変動が大きい場合であっても、周波数偏差の推定時間を短縮、つまり周波数偏差変動への追従性能を高めた回路構成となるように制御することができる。
【００２１】
以上のように、この実施の形態１によれば、受信フレーム同期情報に基づく受信同期の状態により特定した周波数偏差の変動状況に応じて、異なる遅延検波シンボル数で検波を行う複数の周波数偏差検出回路３ａ１，３ａ２，・・・，３ａｎの組み合わせを変更するので、周波数偏差の変動が大きい状態であってもその変動に追従した周波数推定処理を実行することができる。これにより、初期引き込み時間を短縮でき、且つ定常時において高い推定精度を維持することができる。
【００２２】
実施の形態２．
上記実施の形態１では、受信同期情報に基づいて周波数引き込み状態を判断する構成例を示したが、本実施の形態２は、搬送波電力対雑音電力比（Ｃ／Ｎ比）の推定値により周波数引き込み状態を判断し、回路構成を制御するものである。
【００２３】
図３は、この発明の実施の形態２による自動周波数制御装置の一構成例を示すブロック図である。なお、図３において、図１と同一若しくはこれに相当する構成要素には同一符号を付して重複した説明を省略する。本実施の形態２による自動周波数制御装置は、上記実施の形態１と異なり、受信フレーム同期管理回路６の代わりに、Ｃ／Ｎ比モニタ（モニタ部）７を備える。Ｃ／Ｎ比モニタ７は、受信信号レベルの平均値及び分散値を算出し、この算出結果を基にＣ／Ｎ比を類推する。
【００２４】
次に動作について説明する。
入力端子１を介して入力された受信信号は、周波数偏差検出回路３ａ１，ａ２，・・・，３ａｎによって、異なる遅延検波シンボル数ａ１，ａ２，・・・，ａｎによる遅延検波が施され、周波数偏差の推定値候補が検出される。続いて、周波数偏差選択回路４は、周波数偏差検出回路３ａ１，ａ２，・・・，３ａｎにより検出された周波数偏差の推定値候補をそれぞれ入力して周波数不確定性を除去し、出力端子２を介して周波数偏差推定値の最終結果を出力する。
【００２５】
上述した基本的な処理にあたり、周波数偏差検出回路の数を増やして、より大きな遅延検波シンボル数を有する自動周波数制御装置を構成すれば、広い検出範囲を維持しつつ、より高い推定精度も確保できる。しかしながら、あまり遅延検波シンボル数を増やし過ぎると、周波数偏差の推定に時間がかかるため、初期引き込み時など周波数偏差の変動が大きい場合、その変動への追従特性が劣化する。
【００２６】
回路構成制御回路５は、Ｃ／Ｎ比モニタ７からのＣ／Ｎ比の推定に関する情報を常にモニタする。Ｃ／Ｎ比モニタ７は、入力端子１を介して入力した受信信号の信号レベルの平均値及び分散値を算出し、この算出結果を基にＣ／Ｎ比の推定値を算出する。このＣ／Ｎ比が高い、つまり雑音レベルが小さい場合、受信引き込み特性は良好な特性で安定する。一方、Ｃ／Ｎ比が低い場合、雑音レベルが大きく、所望信号が雑音に埋もれてしまうため、受信引き込み特性は劣化する。
【００２７】
そこで、回路構成制御回路５では、Ｃ／Ｎ比が所定の閾値以上である場合、周波数偏差検出回路を偏差検出を行う組み合わせに追加してその最大遅延検波シンボル数を増やすことにより、高い推定精度を実現する回路構成となるように制御する。また、Ｃ／Ｎ比が上記閾値未満である場合、偏差検出を行う組み合わせから周波数偏差検出回路を外してその最大遅延検波シンボル数を減らすことで周波数偏差の変動に対する追従性能を高めた回路構成となるように制御する。
【００２８】
なお、回路構成を切り替えるＣ／Ｎ比の閾値については、運用前に予めノイズ発生源を使って試験を実施して周波数引き込み特性を取得しておき、運用時に想定される周波数偏差変動を取得した周波数引き込み特性と照らし合わせることで決定する。
【００２９】
以上のように、この実施の形態２によれば、推定したＣ／Ｎ比情報により特定した周波数偏差の変動状況に応じて、異なる遅延検波シンボル数で検波を行う複数の周波数偏差検出回路の組み合わせを変更するので、周波数偏差の変動が大きい状態であってもその変動に追従した周波数推定処理を実行することができる。これにより、初期引き込み時間を短縮することができ、且つ定常時において高い推定精度を維持することができる。
【００３０】
実施の形態３．
上記実施の形態１では、受信同期情報に基づいて周波数引き込み状態を判断する例を示したが、本実施の形態３は、電源立ち上げ情報及び受信モード変更情報をモニタして、これらの情報に基づいて周波数引き込み状態を判断し回路構成を制御するものである。
【００３１】
図４は、この発明の実施の形態３による自動周波数制御装置の一構成例を示すブロック図である。なお、図４において、図１と同一若しくはこれに相当する構成要素には同一符号を付して重複した説明を省略する。本実施の形態３による自動周波数制御装置は、上記実施の形態１と異なり、受信フレーム同期管理回路６の代わりに、モードモニタ回路８を備える。モードモニタ回路（モニタ部）８は、受信装置の電源投入時における電源ＯＮ情報、及び／又は伝送速度や変調方式などの受信モードに変更があることを示すモード変更情報を観測する。
【００３２】
次に動作について説明する。
上記実施の形態１と同様に、入力端子１を介して入力された受信信号は、周波数偏差検出回路３ａ１，ａ２，・・・，３ａｎによって、異なる遅延検波シンボル数ａ１，ａ２，・・・，ａｎによる遅延検波が施され、周波数偏差の推定値候補が検出される。続いて、周波数偏差選択回路４は、周波数偏差検出回路３ａ１，ａ２，・・・，３ａｎにより検出された周波数偏差の推定値候補をそれぞれ入力して周波数不確定性を除去し、出力端子２を介して周波数偏差推定値の最終結果を出力する。
【００３３】
上述した基本的な処理にあたり、周波数偏差検出回路の数を増やして、より大きな遅延検波シンボル数を有する自動周波数制御装置を構成すれば、広い検出範囲を維持しつつ、より高い推定精度も確保できる。しかしながら、あまり遅延検波シンボル数を増やし過ぎると、周波数偏差の推定に時間がかかるため、初期引き込み時など周波数偏差の変動が大きい場合、その変動への追従特性が劣化する。
【００３４】
回路構成制御回路５は、モードモニタ回路８からの電源ＯＮ情報及び／又はモード変更情報を常にモニタする。モードモニタ回路８は、入力端子１を介して受信信号の伝送速度や変調方式をモニタして、受信モードに変更がある場合にモード変更情報を生成し回路構成制御回路５に出力する。また、モードモニタ回路８は、受信装置の電源が投入された場合に電源ＯＮ情報を生成して回路構成制御回路５に出力する。
【００３５】
電源ＯＮ情報により特定される電源投入直後、及びモード変更情報により特定される受信モード変更時には、周波数引き込み動作において現時刻より過去のデータを使用することはできない。このため、電源投入直後及び受信モード変更時は必ず初期引き込み動作をする必要がある。
【００３６】
そこで、回路構成制御回路５では、通常時において周波数偏差検出回路を偏差検出を行う組み合わせに追加してその最大遅延検波シンボル数を増やすことで、高い推定精度を実現する回路構成となるように制御を行う。一方、モードモニタ回路８からの電源ＯＮ情報やモード変更情報に基づいて電源立ち上げ、及び受信モード変更を検出した場合、周波数初期引き込み時と判断し、周波数偏差検出回路を偏差検出を行う組み合わせから外してその最大遅延検波シンボル数を減らすことで、周波数偏差変動への追従性能が高まる回路構成となるように制御を行う。
【００３７】
このように初期引き込み状態の判定を、電源投入直後及び受信モード変更時のみに限定することで、周波数偏差変動への追従特性は劣化するが、回路構成制御が簡単になり、回路構成制御回路５のハードウエア規模を小さくすることができる。
【００３８】
以上のように、この実施の形態３によれば、電源投入時及び受信モード変更時に限定して、異なる遅延検波シンボル数で検波を行う複数の周波数偏差検出回路の組み合わせを変更するので、周波数偏差の変動が大きい状態であってもその変動に追従した周波数推定処理を実行する制御回路をより小さな規模で実現することができる。これにより、初期引き込み時間を短縮することができ、且つ定常時において高い推定精度を維持することができる。
【００３９】
実施の形態４．
上記実施の形態１では、受信同期情報に基づいて周波数引き込み状態を判断する例を示したが、本実施の形態４は、周波数偏差の変動を推定することで周波数引き込み状態を判断し回路構成を制御するものである。
【００４０】
図５は、この発明の実施の形態４による自動周波数制御装置の一構成例を示すブロック図である。なお、図５において、図１と同一若しくはこれに相当する構成要素には同一符号を付して重複した説明を省略する。本実施の形態４による自動周波数制御装置は、上記実施の形態１と異なり、受信フレーム同期管理回路６の代わりに、周波数偏差変動推定回路９を備えている。周波数偏差変動推定回路（モニタ部）９は、周波数偏差選択回路４から周波数偏差の推定値を入力し、毎時刻入力される周波数偏差推定値の差分を取ることで周波数偏差推定値の変動を類推する。
【００４１】
次に動作について説明する。
上記実施の形態１と同様に、入力端子１を介して入力された受信信号は、周波数偏差検出回路３ａ１，ａ２，・・・，３ａｎによって、異なる遅延検波シンボル数ａ１，ａ２，・・・，ａｎによる遅延検波が施され、周波数偏差の推定値候補が検出される。続いて、周波数偏差選択回路４は、周波数偏差検出回路３ａ１，ａ２，・・・，３ａｎにより検出された周波数偏差の推定値候補をそれぞれ入力して周波数不確定性を除去し、出力端子２を介して周波数偏差推定値の最終結果を出力する。
【００４２】
上述した基本的な処理にあたり、周波数偏差検出回路の数を増やして、より大きな遅延検波シンボル数を有する自動周波数制御装置を構成すれば、広い検出範囲を維持しつつ、より高い推定精度も確保できる。しかしながら、あまり遅延検波シンボル数を増やし過ぎると、周波数偏差の推定に時間がかかるため、初期引き込み時など周波数偏差の変動が大きい場合、その変動への追従特性が劣化する。
【００４３】
回路構成制御回路５は、周波数偏差変動推定回路９からの周波数偏差推定値の変動を常にモニタする。周波数偏差変動推定回路９では、出力端子２を介して周波数偏差推定値の選択結果を所定の時刻毎に入力して、毎時刻入力される周波数偏差推定値の差分を基に周波数偏差推定値の変動を類推し回路構成制御回路５に出力する。周波数引き込みが安定している場合、出力される周波数偏差推定値も安定し、変動は小さい。一方、周波数引き込みが不安定な場合、出力される周波数偏差推定値も大きく変動することが予想される。
【００４４】
そこで、回路構成制御回路５では、周波数偏差変動推定回路９が推定した周波数偏差推定値の変動が所定の閾値より小さい場合、偏差検出を行う組み合わせに周波数偏差検出回路を追加してその最大遅延検波シンボル数を増やすことで高い推定精度を実現する回路構成となるように制御を行う。一方、推定された周波数偏差推定値の変動が上記閾値以上である場合、偏差検出を行う組み合わせから周波数偏差検出回路を外してその最大遅延検波シンボル数を減らすことで周波数偏差変動への追従性能が高まる回路構成となるように制御を行う。
【００４５】
以上のように、この実施の形態４によれば、推定した周波数偏差の変動の大きさにより特定した受信信号の周波数偏差の変動状況に応じて、異なる遅延検波シンボル数で検波を行う複数の周波数偏差検出回路の組み合わせを変更するので、周波数偏差の変動が大きい状態であってもその変動に追従した周波数推定処理を実行することができる。これにより、初期引き込み時間を短縮することができ、且つ定常時において高い推定精度を維持することができる。
【図面の簡単な説明】
【００４６】
【図１】この発明の実施の形態１による自動周波数制御装置の一構成例を示すブロック図である。
【図２】実施の形態１の自動周波数制御装置による検波回路構成の変更制御を説明するための図である。
【図３】この発明の実施の形態２による自動周波数制御装置の一構成例を示すブロック図である。
【図４】この発明の実施の形態３による自動周波数制御装置の一構成例を示すブロック図である。
【図５】この発明の実施の形態４による自動周波数制御装置の一構成例を示すブロック図である。
【図６】従来の自動周波数制御装置による遅延検波結果の比較関係を示す複素平面図である。
【符号の説明】
【００４７】
１  受信信号入力端子、２  周波数偏差出力端子、３ａ１〜３ａｎ，３ｂ，３ｃ，３ｄ，３ｅ  周波数偏差検出回路（周波数偏差検出部）、４  周波数偏差選択回路、５  回路構成制御回路（回路構成制御部）、６  受信フレーム同期管理回路（モニタ部）、７  Ｃ／Ｎ比モニタ（モニタ部）、８  モードモニタ回路（モニタ部）、９  周波数偏差変動推定回路（モニタ部）。
【図１】
2006246366.tif 000003
【図２】
2006246366.tif 000004
【図３】
2006246366.tif 000005
【図４】
2006246366.tif 000006
【図５】
2006246366.tif 000007
【図６】
2006246366.tif 000008